(57)【要約】【課題】水位が上下に波打つ場合にも安定して水位を検出できる水位検出装置を提供する。【解決手段】ロッド１と、ロッド１上の一点を支点としてロッド１を回動自在に支持する支持部５と、ロッド１の一方の先端に取付けられた状態で水面に浮かべられて水位に応じて上下動するフロート２と、ロッド１の他端と連結してロッド１の回動方向に沿ってフロート２と互いに逆向きに連動する操作体３と、操作体３を上下方向に進退自在に挟持する台部４と、操作体３に設けられて台部４を押す方向に付勢された保持部８と、操作体３の進退方向と並行に設けられて操作体３の進退に応じて接点を開成又は閉成するマイクロスイッチ６とを備え、操作体３に、ロッド１の他端が挿入されて長手方向がロッド１の回動方向に沿い且つロッド１の径よりも長く形成された凹部７を設けた。【選択図】図１
2007147403.tif 000002
【特許請求の範囲】
【請求項１】
ロッドと、ロッド上の一点を支点としてロッドを回動自在に支持する支持部と、ロッドの一方の先端に取付けられた状態で水面に浮かべられて水位に応じて上下動するフロートと、ロッドの他端と連結してロッドの回動方向に沿ってフロートと互いに逆向きに連動する操作体と、操作体を上下方向に進退自在に挟持する台部と、操作体に設けられて弾性力によって操作体を台部に保持する保持部と、操作体の進退方向と並行に設けられて操作体の進退に応じて接点を開成又は閉成するスイッチとを備え、操作体に、ロッドの他端が挿入されて長手方向がロッドの回動方向に沿い且つロッドの径よりも長く形成された凹部を設けたことを特徴とする水位検出装置。
【請求項２】
前記操作体及び保持部は、ゴム材料で一体に形成されたことを特徴とする請求項１記載の水位検出装置。
【請求項３】
前記操作体及び保持部は、弾性を有する樹脂材料で一体に形成されたことを特徴とする請求項１記載の水位検出装置。
【発明の詳細な説明】
【技術分野】
【０００１】
本発明は、水面位置を検出する水位検出装置に関する。
【背景技術】
【０００２】
従来、水面の水位を検出する水位検出装置として、例えば特許文献１のようなものが知られている。この種の水位検出装置は、水面に浮かべることで水位の変化に応じて上下動するフロートと、フロートと直接又は支持体を介して連動するスイッチとを備え、フロートが所定の水位に達した場合にフロートと連動しているスイッチをオン又はオフさせることで水位を検出するものである。
【特許文献１】特開２００５−１７６９２２号公報
【発明の開示】
【発明が解決しようとする課題】
【０００３】
しかしながら、従来の水位検出装置では、フロートが所定の水位付近にある場合に、フロートとスイッチが連動している為に、水面が波打つことでフロートが僅かに上下動することでもスイッチのオン／オフを繰り返してしまい、したがって水位を正確に検出することができず、またスイッチング動作を不必要に繰り返すことでスイッチの寿命が縮んでしまうという問題があった。
【０００４】
本発明は、上記の点に鑑みて為されたもので、水位が上下に波打つ場合にも安定して水位を検出できる水位検出装置を提供することを目的とする。
【課題を解決するための手段】
【０００５】
請求項１の発明は、上記目的を達成するために、ロッドと、ロッド上の一点を支点としてロッドを回動自在に支持する支持部と、ロッドの一方の先端に取付けられた状態で水面に浮かべられて水位に応じて上下動するフロートと、ロッドの他端と連結してロッドの回動方向に沿ってフロートと互いに逆向きに連動する操作体と、操作体を上下方向に進退自在に挟持する台部と、操作体に設けられて弾性力によって操作体を台部に保持する保持部と、操作体の進退方向と並行に設けられて操作体の進退に応じて接点を開成又は閉成するスイッチとを備え、操作体に、ロッドの他端が挿入されて長手方向がロッドの回動方向に沿い且つロッドの径よりも長く形成された凹部を設けたことを特徴とする。
【０００６】
請求項２の発明は、請求項１の発明において、操作体及び保持部は、ゴム材料で一体に形成されたことを特徴とする。
【０００７】
請求項３の発明は、請求項１の発明において、操作体及び保持部は、弾性を有する樹脂材料で一体に形成されたことを特徴とする。
【発明の効果】
【０００８】
請求項１の発明によれば、操作体にロッドの他端が挿入されて長手方向がロッドの回動方向に沿い且つロッドの径よりも長く形成された凹部を設けたので、フロートが所定の水位付近にある場合に、水面が波打つことでフロートが上下動しても凹部内でロッドの他端が動くだけで操作体は動かず、また操作体には弾性力によって操作体を台部に保持する保持部が設けられているので、ロッドの他端が凹部の上限又は下限に達して初めて操作体が動くため、水面が波打つ程度では操作体は動かず、したがって不必要なスイッチング動作を防ぐことができる。更に、水面が波打つことによる不必要なスイッチング動作が生じないので、スイッチの長寿命化を図ることができる。
【０００９】
請求項２の発明によれば、操作体及び保持部を、ゴム材料で一体に形成したので、装置を構成する部品の点数を減らすことができ、したがって製造過程を容易にすると共にコストの削減を図ることができる。
【００１０】
請求項３の発明によれば、操作体及び保持部を、弾性を有する樹脂材料で一体に形成したので、装置を構成する部品の点数を減らすことができ、したがって製造過程を容易にすると共にコストの削減を図ることができる。
【発明を実施するための最良の形態】
【００１１】
以下、本発明の実施形態について図面を用いて説明する。本実施形態の水位検出装置は、ロッド１と、ロッド１上の一点を支点としてロッド１を回動自在に支持する支持部５と、ロッド１の一方の先端に取付けられた状態で水面に浮かべられて水位に応じて上下動するフロート２と、ロッド１の他端と連結してロッド１の回動方向に沿ってフロート２と互いに逆向きに連動する操作体３と、操作体３を上下方向に進退自在に挟持する台部４と、操作体３の進退方向と並行に設けられて操作体３の進退に応じて接点を開成又は閉成するスイッチ６とを備えている（図１参照）。
【００１２】
ロッド１は、例えば金属等を棒状に形成して成り、一方の先端を略直角に折曲し、他方の先端は、フロート２から突出する棒状のフロート支持部２ａが回動自在に取付けられており、折曲された先端部１ａは後述する凹部７に挿入される。ロッド１の略中央には支持部５に挿入される略円柱状の突部１ｂが一体に形成されており、この突部１ｂを軸としてロッド１は回転するようになっている。
【００１３】
台部４は、略直方体状に形成された２つのブロック４ａ、４ｂから成り、各々に２箇所ずつ設けられたネジ孔４ｃに取付ネジ９を挿通し、壁等にネジ止めすることで固定される。２つのブロック４ａ、４ｂは一定の間隔を空けて固定され、その間には操作体３が上下方向に進退自在に挟持される。前記右側のブロック４ｂの前面には、ロッド１の突部１ｂが挿入される略円筒状の支持部５が設けられており、突部１ｂを支持部５に挿入することでロッド１を回動自在に支持する。
【００１４】
スイッチ６は、本実施形態ではマイクロスイッチから成り、略直方体状のケース６ａと、ケース６ａに設けられた板部６ｂと、ケース６ａから突出する釦部６ｃとから構成され、ケース６ａに設けられたネジ孔６ｄに取付ネジ（図示せず）を挿通し、前記左側のブロック４ａの前面にネジ止めして取付けられる。板部６ｂは、略Ｌ字状の金属板から成り、一端がケース６ａに固定されている。釦部６ｃは、ケース６ａの板部６ｂの一端が固定される面と同一面から突出しており、板部６ｂから一定以上の力で押し込まれることで、ケース６ａの内部に設けられた接点機構（図示せず）の接点をオンにする。尚、ケース６ａの内部の接点機構は周知であるので、詳細な説明は省略する。
【００１５】
操作体３は、図２に示すように、樹脂材料等から成る略直方体状の成形部３ａ、３ｂを２つ重ねた形で一体に形成されており、図２（ｂ）における左側の成形部３ａの上面には略長円形状の凹部７が設けられている。凹部７は、その長手方向がロッド１の回動方向に沿い且つロッド１の径よりも長く形成されており、この凹部７にロッド１の折曲された先端部１ａが挿入される。また、前記右側の成形部３ｂの両側面には、それぞれ金属板を湾曲して成る保持部８が設けられており、成形部３ｂをブロック４ａ、４ｂの間に配置した際に、保持部８の撓みによって操作体３が自重で下降しないように保持する。成形部３ａは、成形部３ｂをブロック４ａ、４ｂの間に配置した状態で、ブロック４ａ、４ｂの前面側に突出するようになっており、操作体３が上下方向に進退することで、ブロック４ａの上面に設けられたスイッチ６の板部６ｂと接触するようになっている。尚、成形部３ａの図２（ａ）における左側の両端部はそれぞれ傾斜面を有し、操作体３が下方向へと移動する際に、この傾斜面に板部６ｂのＬ字の直角部分が当接することで成形部３ａを下方向へと案内し、板部６ｂを介して釦部６ｃを押し込むようになっている。
【００１６】
以下、本実施形態の動作を図３を用いて説明する。フロート２が所定の水位付近にあり且つスイッチ６がオフの場合に、水面が波打つことでフロート２が上昇したとすると、ロッド１が回転して先端部１ａが下方向へと移動するが、先端部１ａは凹部７の上限から下限までの間を移動するのみで、また保持部８によって操作体３が保持されているので、先端部１ａが凹部７の下限に達しない限り操作体３は押し下げられない。したがって、水面が波打つことで操作体３が動くことは無く、スイッチ６はオフの状態を維持する。フロート２が所定の水位まで上昇したとすると、ロッド１が回転して先端部１ａが凹部７の下限に達し、操作体３を下方向に押し下げる。すると操作体３の成形部３ａがスイッチ６の板部６ｂを図３（ｂ）における左側方向へと押すことで、板部６ｂが釦部６ｃを押してスイッチ６がオンとなる。ここで、水面が波打つことでフロート２が下降したとすると、ロッド１が回転して先端部１ａが上方向に移動するが、先端部１ａは凹部７の上限から下限までの間を移動するのみで、上限に達することがない。したがって操作体３が先端部１ａに押し上げられないので、スイッチ６はオンの状態を維持する。
【００１７】
上述のように、フロート２が所定の水位付近にあって水面が波打つ場合に、凹部７の上限から下限までの間をロッド１の先端部１ａが移動するだけで操作体３を押し上げる又は押し下げることがないので、水面が波打つ程度では操作体３が動かないようにすることができ、したがって安定したスイッチング動作を行うことができる。
【００１８】
ところで、本実施形態では操作体３は樹脂材料で、保持部８は金属で形成されているが、操作体３及び保持部８を同じ材料で形成してもよく、例えばゴム材料で一体に形成したり（図４（ａ）参照）、弾性を有する樹脂材料で一体に形成してもよい（図４（ｂ）参照）。尚、弾性を有する樹脂材料で保持部８を形成する際は、一端を操作体３に固定して他端を操作体に固定しないようにすることで、弾性力を持たせるようにしている。この場合、別々の材料を用いる必要がないために、装置を構成する部品点数を減らすことができ、したがって装置を製造する工程を容易にすると共に製造にかかるコストを削減することもできる。
【図面の簡単な説明】
【００１９】
【図１】本発明の実施形態の水位検出装置を示す図で、（ａ）は正面図で、（ｂ）は下面図である。
【図２】同上の操作体及び保持部を示す図で、（ａ）は正面図で、（ｂ）は右側から見た側面図である。
【図３】同上の動作方法を示す説明図で、（ａ）はスイッチがオフの状態を示す図で、（ｂ）はスイッチがオンの状態を示す図である。
【図４】同上の操作体及び保持部の他の形態を示す図で、（ａ）はゴム材料で形成した場合の図で、（ｂ）は弾性を有する樹脂材料で形成した場合の図である。
【符号の説明】
【００２０】
１  ロッド
２  フロート
３  操作体
４  台部
５  支持部
６  スイッチ
７  凹部
８  保持部
【図１】
2007147403.tif 000003
【図２】
2007147403.tif 000004
【図３】
2007147403.tif 000005
【図４】
2007147403.tif 000006